(57)【要約】【課題】テンショナシーブとガバナロープとの間に落下物が挟まりにくくしたガバナテンショナを提供する。【解決手段】一端がエレベータのガイドレールに固定された取り付け部材と、この取り付け部材に回転可能に支持され、エレベータの異常速度を検出し、非常停止装置を作動させる調速機用のガバナロープが巻装されたテンショナシーブと、取り付け部材の他端に吊着されガバナロープに張力を掛ける張力用ウエイトと、テンショナシーブと同軸で揺動可能に支持され、テンショナシーブの上方に位置し、略半円に亘るロープ溝を覆って配設された保護カバーと、この保護カバーの下端部に吊着され、保護カバーに対して鉛直方向の荷重を掛ける重錘とを備える。【選択図】図１
2012006696.tif 000002
【特許請求の範囲】
【請求項１】
一端がエレベータのガイドレールに固定された取り付け部材と、
この取り付け部材に回転可能に支持され、エレベータの異常速度を検出し、非常停止装置を作動させる調速機用のガバナロープが巻装されたテンショナシーブと、
前記取り付け部材の他端に吊着され前記ガバナロープに張力を掛ける張力用ウエイトと、
前記テンショナシーブと同軸で揺動可能に支持され、前記テンショナシーブの上方に位置し、略半円に亘るロープ溝を覆って配設された保護カバーと、
この保護カバーの下端部に吊着され、前記保護カバーに対して鉛直方向の荷重を掛ける重錘と、を備え、
常時、前記テンショナシーブと前記保護カバーの位置関係を保持することを特徴とするガバナテンショナ。
【請求項２】
前記保護カバーは、その両端部に、前記ロープ溝を通る前記ガバナロープが挿通するＵ字形状の切り欠き部が形成されていることを特徴とする請求項１記載のガバナテンショナ。
【請求項３】
前記切り欠き部の端面に、弾性部材を被着させたことを特徴とする請求項２に記載のガバナテンショナ。
【請求項４】
前記弾性部材は、樹脂製もしくはゴム製のキャップであることを特徴とする請求項３に記載のガバナテンショナ。
【請求項５】
前記切り欠き部の上部に、前記切り欠き部と略同形の緩衝部材を滑動可能に取着させ、この緩衝部材のＵ字状底部を圧縮コイルバネを介してストッパ部材で支持していることを特徴とする請求項２に記載のガバナテンショナ。
【請求項６】
前記切り欠き部の底部近傍に、両端部で軸支され、前記切り欠き部の開口端に対して平行で前記ガバナロープとは略垂直にクロスする回転体を配設したことを特徴とする請求項２に記載のガバナテンショナ。
【請求項７】
一端がエレベータのガイドレールに固定された取り付け部材と、
この取り付け部材に回転可能に支持され、エレベータの異常速度を検出し、非常停止装置を作動させる調速機用のガバナロープが巻装されたテンショナシーブと、
前記取り付け部材の他端に吊着され前記ガバナロープに張力を掛ける張力用ウエイトと、
前記取り付け部材よりも上方であって、前記取り付け部材と略平行するように、一端がエレベータのガイドレールに固定された第２の取り付け部材と、
この第２の取り付け部材から前記テンショナシーブの回転軸方向に延在して取着されたプレート部材と、
このプレート部材に取着され、略Ｌ字状断面の折り曲げ部で前記テンショナシーブの略半円に亘るロープ溝の近傍を覆う第２の保護カバーと、
を備え、
常時、前記テンショナシーブと前記第２の保護カバーの位置関係を保持することを特徴とするガバナテンショナ。
【請求項８】
前記第２の保護カバーは、その両端部に、前記ロープ溝を通る前記ガバナロープが挿通するＵ字形状の切り欠き部が形成されていることを特徴とする請求項７記載のガバナテンショナ。
【請求項９】
前記切り欠き部の端面に、弾性部材を被着させたことを特徴とする請求項８に記載のガバナテンショナ。
【請求項１０】
前記弾性部材は、樹脂製もしくはゴム製のキャップであることを特徴とする請求項９に記載のガバナテンショナ。
【発明の詳細な説明】
【技術分野】
【０００１】
本発明の実施形態は、エレベータのガバナテンショナに関する。
【背景技術】
【０００２】
エレベータのガバナは、エレベータの異常速度を検出し、非常停止装置を作動させる調速機である。このガバナ用のロープにテンションを加えるガバナテンショナは、テンショナウェイトを腕先端に取り付け、ガバナロープの伸び等に対してテンショナウェイトの重さにより腕が傾き、ガバナロープのテンションを調整する。
【０００３】
ガバナロープの引っ掛かり、切断、シーブからの外れ等、ガバナロープの異常状態を検出するものとして、例えば、ガバナテンショナの上下方向の動作を検出するガバナロープ状態検出装置が提案されている（例えば、特許文献１参照。）。これは、一端がガイドレール側に固定された検出スイッチ取付ブラケットと、検出スイッチ取付ブラケットの他端に取り付けられた検出スイッチと、ガバナロープが巻装されたテンショナシーブとテンショナウェイトとを有するガバナテンショナとを備えている。
【先行技術文献】
【特許文献】
【０００４】
【特許文献１】特開２００９−７０９８号公報
【発明の概要】
【発明が解決しようとする課題】
【０００５】
エレベータのガバナテンショナにおいて、地震の際の衝撃等により、エレベータの昇降路内で何らかの落下物が発生すると、テンショナシーブ用のカバーがない場合には、テンショナシーブの溝部とガバナロープとの間に、落下物が挟まる危険性があった。
【０００６】
そこで、近年、地震に対する対策強化に伴い、耐震設計・施工指針が出され、テンショナシーブの溝部とガバナロープとの間に落下物等が入り込まないようにテンショナシーブにカバーを取り付けることが必要となっている。
【０００７】
本発明では、落下物が入り込みにくくしたガバナテンショナを提供する。
【課題を解決するための手段】
【０００８】
実施形態のガバナテンショナによれば、一端がエレベータのガイドレールに固定された取り付け部材と、この取り付け部材に回転可能に支持され、エレベータの異常速度を検出し、非常停止装置を作動させる調速機用のガバナロープが巻装されたテンショナシーブと、前記取り付け部材の他端に吊着され前記ガバナロープに張力を掛ける張力用ウエイトと、前記テンショナシーブと同軸で揺動可能に支持され、前記テンショナシーブの上方に位置し、略半円に亘るロープ溝を覆って配設された保護カバーと、この保護カバーの下端部に吊着され、前記保護カバーに対して鉛直方向の荷重を掛ける重錘とを備える。
【図面の簡単な説明】
【０００９】
【図１】第１の実施形態に係るガバナテンショナの正面図である。
【図２】第１の実施形態に係るガバナテンショナの上面図である。
【図３】図１のＸ−Ｘ矢視図である。
【図４】ガバナロープの伸びによりウデが傾いたときの様子を示す図である。
【図５】地震等の際に、保護カバーが水平状態から傾いた時の様子を示す図である。
【図６】第２の実施形態に係るガバナテンショナにおいて、保護カバーに形成した切り欠き部にキャップを取り付けた時の様子を示す斜視図である。
【図７】第３の実施形態に係るガバナテンショナにおいて、切り欠き部に、緩衝ブロックを取り付けた時の様子を示す斜視図である。
【図８】保護カバーが傾いてガバナロープと接触した場合の様子を示す図である。
【図９】第４の実施形態に係るガバナテンショナにおいて、保護カバーの上部に回転体を取り付けた時の様子を示す斜視図である。
【図１０】第５の実施形態に係るガバナテンショナの正面図である。
【図１１】第５の実施形態に係るガバナテンショナの上面図である。
【図１２】図１０のＸ−Ｘ矢視図である。
【図１３】ガバナロープの伸びにより、ウデが傾いたときの様子を示した図である。
【発明を実施するための形態】
【００１０】
以下、本発明の一実施の形態について、図面を参照して説明する。尚、各図において同一箇所については同一の符号を付し、重複した説明は省略する。
【００１１】
（第１の実施の形態））
第１の実施形態に係るガバナテンショナについて説明する。図１は、第１の実施形態に係るガバナテンショナの構成を示す正面図である。図２は、第１の実施形態に係るガバナテンショナのＹ−Ｙ面から見た上面図である。図３は、図１のＸ−Ｘ矢視図を示す。
【００１２】
図１に示すように、ガバナテンショナは、レール７にレールクリップ８により固定されたベース６にウデ１の一端側が取り付けられている。ウデ１の中程には、ガバナロープ９を巻装したテンショナシーブ３が取り付けられている。また、ウデ１の他端側には、ガバナロープ９にテンションを掛けるための張力用ウエイト２が取り付けられている。テンショナシーブ３の上方は、テンショナシーブ３の略半円に亘るロープ溝を覆う保護カバー４ａで覆われている。保護カバー４ａでロープ溝を覆っているので、昇降路内で上方から落下してくる塵挨等がロープ溝に付着、堆積しにくくなっている。
【００１３】
図２に示すように、テンショナシーブ３をウデ１に取り付ける軸とカバー４ａを取り付けるピン１１が接触するのを避けるため、ブラケット１０をウデ１に取り付け、そのブラケット１０にカバー４ａをテンショナシーブ３の回転軸と同軸になるようにブラケット１０にピン１１を用いて取り付けている。
【００１４】
保護カバー４ａの下端には、保護カバー４ａが常に鉛直方向を向くように荷重を掛けるための重錘５が取り付けられている。
【００１５】
次に、上記したように構成されたガバナテンショナの動作について説明する。通常は、図１に示すように、ウデ１が略水平になるように取り付けられている。しかし、ガバナロープ９の伸びや異常速度が検出された際には、ガバナロープ９の片側が上方に引き上げられ、ウデ１はベース６との取り付け部を中心に傾く。
【００１６】
図４は、ガバナロープ９の伸びによりウデ１が傾いたときの様子を示す図である。図４に示すように、ウデ１が傾くと保護カバー４aは下側に取り付けられた重錘５が鉛直方向に向くため、テンショナシーブ３と同軸で回転して常に水平状態を保ち、保護カバー４ａとテンショナシーブ３の位置関係は変わらない。そのため、保護カバー４aとガバナロープ９の位置関係も変わらず、ウデ１の傾きによりガバナロープ９が保護カバー４aの切り欠き部深くに入り込むことがない。
【００１７】
本実施形態によれば、ガバナロープが伸びたり異常速度が検出されても、保護カバーとテンショナシーブの位置関係が変わらず、切り欠き部を最小限に抑えられるため、テンショナシーブとガバナロープとの間に落下物が挟まりにくい。
【００１８】
（第２の実施の形態）
次に、第２の実施形態について説明する。第２の実施形態に係るガバナテンショナの基本構成は、上記した第１の実施形態と同様である。図６は、保護カバー４ａに形成した切り欠き部４ａｂにキャップ１２を取り付けた時の様子を示す斜視図である。ガバナロープ９が位置する保護カバー４ａの切り欠き部４ａｂにおいて、その端面にキャップ１２を取り付けている。キャップ１２は、樹脂製もしくはゴム製の弾性のあるものが好適である。
【００１９】
このように構成した第２の実施形態の動作について説明する。図５は、地震等の際に、保護カバー４aが水平状態から傾いた時の様子を示す図である。
【００２０】
地震等により下方に吊り下げた重錘５が振り子のように振れると、保護カバー４aは、図５に示すように傾き、ガバナロープ９と接触する可能性がある。しかしながら、図６に示すように、切り欠き部４ａｂにキャップ１２を取り付けているので、保護カバー４ａとガバナロープ９が直に接触せず、保護カバー４aの損傷を避けることができる。
【００２１】
本実施形態によれば、ガバナロープ９が保護カバー４aと接触しても、保護カバー４a自体の損傷を避けることができる。したがって、テンショナシーブとガバナロープとの間に落下物等が挟まるのを抑制することができる。
【００２２】
（第３の実施の形態）
次に、第３の実施形態について説明する。第３の実施形態に係るガバナテンショナの基本構成は、上記第１の実施形態と同様である。図７は、第３の実施形態に係る保護カバー４ａに形成した切り欠き部４ａｂに、緩衝ブロック１３を取り付けた時の様子を示す斜視図である。
【００２３】
緩衝ブロック１３は、切り欠き部４ａｂと略同じＵ字形状をし、切り欠き部４ａｂに形成した溝部（図示しない）に滑動可能に取着している。緩衝ブロック１３のＵ字形状の底部は、図７に示すように圧縮コイルバネ１４を介してストッパ部材１５で支持されている。圧縮コイルバネ１４の両端部は、それぞれ、緩衝ブロック１３とストッパ部材１５に取り付けられ、抜けないように構成している。緩衝ブロック１３は、ガバナロープ９よりも柔らかな例えばアルミニウム製が好適である。
【００２４】
このように構成した第３の実施形態の動作について説明する。図５は、地震等の際に、保護カバー４aが水平状態から傾いた時の様子を示す図である。
【００２５】
地震等により下方に吊り下げた重錘５が振り子のように振れると、保護カバー４aは、図５に示すように傾き、ガバナロープ９はかごの移動とともに上下方向にかごと同じ速度で移動しているため、ガバナロープ９と接触すると保護カバー４aが損傷を受ける可能性がある。図８は、保護カバー４ａが傾いてガバナロープ９と接触した場合の様子を示す図である。図８に示すように、緩衝ブロック１３がガバナロープ９から受けた衝撃は、緩衝ブロック１３が圧縮コイルバネ１４を圧縮する方向にスライドする。すると、圧縮コイルバネ１４が圧縮して衝撃を吸収し、ガバナロープ９は保護カバー４aには直接接触しない。
【００２６】
本実施形態によれば、ガバナロープ９から受けた衝撃をコイルバネ１４で吸収し、保護カバー４aがガバナロープ９に直接接触させないようにしたため、保護カバー４a自体が損傷を受けることを避けることができる。したがって、テンショナシーブとガバナロープとの間に落下物等が挟まるのを抑制することができる。
【００２７】
（第４の実施の形態）
次に、第４の実施形態について説明する。第４の実施形態に係るガバナテンショナの基本構成は、第１の実施形態と同様である。図９は、第４の実施形態に係る保護カバー４ａの上部に回転体１６を取り付けた時の様子を示す斜視図である。図９に示すように、保護カバー４ａのＵ字状の切り欠き部４ａｂの底部近傍に、両端部にて配置されたブロック１７で軸支された回転体１６が配設されている。回転体１６は、切り欠き部４ａｂの開口端に対して平行で、ガバナロープ９とは略垂直にクロスしている。
【００２８】
このように構成した第４の実施形態の動作について説明する。図５は、地震等の際に、保護カバー４aが水平状態から傾いた時の様子を示す図である。
【００２９】
地震等により下方に吊り下げた重錘５が振り子のように振れると、保護カバー４aは、図５に示すように傾き、ガバナロープ９はかごの移動とともに上下方向にかごと同じ速度で移動しているため、ガバナロープ９と接触すると圧縮カバー４aが損傷を受ける可能性がある。
【００３０】
しかしながら、保護カバー４aのＵ字状の切り欠き部４ａｂの底部近傍に配設された回転体１６がガバナロープ９との接触による衝撃を受けるとともに、ガバナロープ９の上下方向への移動に伴って回転体１６が回転する。それにより、上下方向に移動するガバナロープ９と保護カバー４aとが直接擦り合うことがないので、保護カバー４aの変形を防ぐことができる。
【００３１】
本実施形態によれば、ガバナロープが上下方向に移動しても保護カバー４aを擦らないようにしているので、保護カバー４a自体が損傷を受けることを避けることができる。したがって、テンショナシーブとガバナロープとの間に落下物等が挟まるのを抑制することができる。
【００３２】
（第５の実施の形態）
次に、第５の実施形態について説明する。図１０は、第５の実施形態に係るガバナテンショナの正面図を示す。図１１は、第５の実施形態に係るガバナテンショナのＹ−Ｙ面から見た上面図である。図１２は、図１０中のＸ−Ｘ矢視図を示している。
【００３３】
図１０に示すように、ガバナテンショナは、レール７にレールクリップ８により固定されたベース６にウデ１の一端側が取り付けられている。ウデ１の中程には、ガバナロープ９を巻装したテンショナシーブ３が取り付けられている。また、ウデ１の他端側には、ガバナロープ９にテンションを掛けるための張力用ウエイト２が取り付けられている。ベース６の上方には、第２のベース２０がレール７に取り付けられている。第２のベース２０には、ウデ１と略平行に延伸したウデ１８が取り付けられている。ウデ１８から、テンショナシーブ３の回転軸に向かって、プレート１９が取り付けられている。さらに、テンショナシーブ３の上方に位置し、略Ｌ字状断面の折り曲げ部で前記テンショナシーブの略半円に亘るロープ溝の近傍を覆う保護カバー４ｂが、プレート１９に水平に取り付けられている。保護カバー４ｂは、その両端部に、ロープ溝を通るガバナロープが挿通するＵ字形状の切り欠き部が形成され、その切り欠き部の端面に、樹脂製もしくはゴム製のキャップを被着させるのが好適である。
【００３４】
保護カバー４ｂでテンショナシーブ３のロープ溝を覆っているので、昇降路内で上方から落下してくる塵挨等がロープ溝に付着、堆積しにくくなっている。
【００３５】
このように構成した第５の実施形態の動作について説明する。図１０に示すように、通常は、ウデ１は略水平になるように取り付けられている。しかし、ガバナロープ９が伸びたり、異常速度が検出されると、ガバナロープ９が引き上げられる。それに伴い、ウデ１はベース６との取り付け部を中心にして水平状態から傾く。
【００３６】
図１３は、ガバナロープの伸びにより、ウデ１が傾いたときの様子を示した図である。
【００３７】
ガバナロープの伸びに伴いガバナロープのテンションを維持するため図１３のようにウデ１はベース６との取り付け部を中心に傾く。また、ウデ１８もプレート１９により連結されているためウデ１と同様に傾く。プレート１９の向きは常に鉛直方向となり、取り付けられた保護カバー４ｂはウデ１の傾きによらずテンショナシーブ３との位置関係は変わらない。そのため、保護カバー４ｂとガバナロープ９の位置関係も変わらず、ウデ１の傾きによりガバナロープ９が切り欠き部深<に入り込むことがないため保護カバー４ｂの切り欠き部を深くする必要がない。
【００３８】
本実施形態によれば、保護カバー４ｂとテンショナシーブ３の位置関係が変わらず、ガバナロープ９が切り欠き部に深く入り込むことがないため保護カバー４ｂの切り欠き部を深くする必要がない。その結果、落下物がテンショナシーブ３とガバナロープ９との間に挟まりにくい。
【００３９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４０】
１・・・ウデ
２・・・張力用ウエイト
３・・・ テンショナシーブ
４ａ，４ｂ・・・保護カバー
５・・・重錘
６・・・ベース
７・・・レール
８・・・レールクリップ
９・・・ ガバナロープ
１０・・・ブラケット
１１・・・ピン
１２・・・キャップ
１３・・・緩衝ブロック
１４・・・圧縮コイルバネ
１５・・・ストッパ部材
１６・・・回転体
１７・・・ブロック
１８・・・ウデ
１９・・・プレート
２０・・・第２のベース
【図１】
2012006696.tif 000003
【図２】
2012006696.tif 000004
【図３】
2012006696.tif 000005
【図４】
2012006696.tif 000006
【図５】
2012006696.tif 000007
【図６】
2012006696.tif 000008
【図７】
2012006696.tif 000009
【図８】
2012006696.tif 000010
【図９】
2012006696.tif 000011
【図１０】
2012006696.tif 000012
【図１１】
2012006696.tif 000013
【図１２】
2012006696.tif 000014
【図１３】
2012006696.tif 000015